(57)【要約】      （修正有）［課題］この発明は、図１、の如く本体特殊加工ゴム市販名ユーカスと称す大変強靭で伸縮のおさえがききます、肌にも優しく柔らかく温味があり長時間に渡って装着していても、肌が被ることもなく治療器具の本体として使用するには大変貴重な製品です。本体ユーカスに磁石を接着し磁石の力を最大限に活用したことを特徴とする。磁石痔痛治療器具を提供するものである。［解決手段］磁石痔痛治療器具。本体ユーカスに、硬質スポンヂに穴を開けて５ヶ処に磁石を固定させて柔らかい丈夫な布で包み接着して、更らに底辺に布を１枚接着して、磁石を患部に当てるように本体ユーカスに配置接着することにより、周囲の血行を良くして筋肉のコリをほぐしてくれるので、痛みや苦しみを柔らげると同時に正座しているときも歩行時にも又激しい運動時にも、磁石が患部に密着しているので違和感を覚える事もなく、ユーカスの伸縮のおさえがきく力を活用する事により、その効果は大なるものとなります。［選択図］図１【特許請求の範囲】
【請求項１】
磁石痔痛治療器具。平成１３年１０月２３日付にて提出致しました。出願番号、特願２００１−３７６４９４、出願人５００２１５６３２。磁石痔痛治療器具の本体に生ゴムバンドを使用致しまして申請致しましたが、生ゴムバンドは肌に直に装着することにより皮膚が被れる等。生ゴムによるアレルギーを持つ方が多く居られるとの事で使用不可との決論に達しましたので。資材を変えまして再度特許願いを提出致す事に相成りましたので。前文全項目削除して下さる様お願い申し上げる次第にご座います。
本体に使用致します新資材と申しますは、特殊加工ゴム市販名ユーカスと称します。この品は大変強靭で伸縮のおさえがききます、肌にも優しく柔らかく温かく長期間に渡って装着していても、肌が被ると言うこともなく治療器具の本体として使用するには大変貴重な製品にご座います。
図１、本体ユーカスをＬ型を基準として、長さ５７０ｍｍ巾４０ｍｍ厚さ１．５ｍｍに抜き取る、図２、磁石円柱型上部円型直経９ｍｍを使用する、図３硬質スポンヂに長さ９０ｍｍ巾２０ｍｍ厚さ４ｍｍに、両端５ｍｍづつ空ける９ｍｍ直経の穴を５ヶ処開けて、その間隔を１０ｍｍとするに図２の磁石を埋め込み接着した硬質スポンヂを、肌に優しい柔らかい丈夫な布で包み接着したのち布を１枚底辺に接着したのち本体に配置接着する。図４、の枠内を抜き取る直経５ｍｍとして１４０ｍｍ、図５、を２０ｍｍとする、図６、の１４０ｍｍ切りはなす、図７、の８５ｍｍ切りはなす、図８、両端４ヶ処マジックテープ巾１５ｍｍ長さ２０ｍｍを接着する、図９、ユーカスの渕取りバヤス布を使用し伸縮模様ぬいとする、図１０、ユーカスの腰のバンド長さ１，０５０ｍｍ巾６０ｍｍ厚さ３ｍｍとして渕取りバヤス布を使用し伸縮模様ぬいとする、巾５０ｍｍ長さ３０ｍｍのマジックテープを接着する。磁石痔痛治療器具。
【発明の詳細な説明】
［技術分野］
【０１１９】  本発明は、本体特殊加工ゴム、とは大変強靭で伸縮のおさえがききます、肌に優しく柔らかく温味があり長時間に渡って装着していても、肌が被ることもなく治療器具の本体としては大変貴重な製品です。市販名ユーカスと称します図１、図は長さは約４分の１巾は現物と同じです。本体ユーカスをＬ型を基準として、長さ５７０ｍｍ巾４０ｍｍ厚さ１．５ｍｍに抜き取り、硬質スポンヂに磁石を接着して、肌に優しい柔らかい丈夫な布に包み接着してのち更らに底辺に布を１枚接着したものを、図１、の如く配置接着した。磁石痔痛治療具に関するものである。
［背景技術］
【０１２０】  平成１３年１０月２３日付にて提出致しました、特願２００１−３７６４９４には。本体生ゴムバンドとして申請致しましたが、生ゴムバンドは肌に装着することにより皮膚が被る等、生ゴムによるアレルギーを持つ方が多く居られるとの事で使用不可との決論に達しましたので、新資材ユーカスを本体として活用致す事に決定致しました。
［発明の開示］
［発明が解決しようとする課題］
【０１２１】  本発明はその欠点を除いて、本体ユーカスに磁石を接着して、痔痛の患部に当て装着することにより、周囲の血行を良くして筋肉のコリをほぐします、尚ほユーカスの伸縮のおさえの力を活用し患部を押圧することにより、大いなる効果を上げることが出来る。尚ほ図１、の磁石の配置は正座しているときも歩行時や激しい運動時にも磁石が患部に密着出来るように、考案したものであるその効果の大なるを開発しようとするものである。
［課題を解決するための手段］
【０１２２】  いまその課題を図面に追いながら説明すれば。
図１、は現物の長さの４分の１です、巾は現物と同じです。図１、本体ユーカス磁石痔痛治療器具Ｌ型を基準として、長さ５７０ｍｍ巾４０ｍｍ厚さ１．５ｍｍに抜き取る、図２、は磁石円柱型上部円型直経９ｍｍを使用する。図３、硬質スポンヂに長さ９０ｍｍ巾２０ｍｍ厚さ４ｍｍに、両端５ｍｍづつ空ける９ｍｍの穴を５ヶ処開けその間隔を１０ｍｍとする、磁石を埋め込み接着した硬質スポンヂを、肌に優しい柔らかい丈夫な布で包み接着したのち布を１枚底辺に接着したのち本体に接着する。図４、の枠内を抜き取る直経５ｍｍとして１４０ｍｍ、図５を２０ｍｍとする、図６、の１４０ｍｍ切りはなす、図７、の８５ｍｍ切りはなす、図８、両端４ヶ処マジックテープ巾１５ｍｍ長さ２０ｍｍを接着する、図９、ユーカスの渕取りバヤス布を使用し伸縮模様ぬいとする、図１０、ユーカスの腰バンド長さ１，０５０ｍｍ巾６０ｍｍ厚さ３ｍｍとして渕取りバヤス布を使用し伸縮模様ぬいとする。磁石痔痛治療器具である。
［発明の効果］
【０１２３】  本発明は以上のような構造であるから、これを使用装着することにより、磁石で痔痛の周囲の血行を良くして筋肉のコリをほぐしてくれるので、苦しみを柔らげると同時に、正座しているときも歩行時にも又激しい運動時にも、磁石が患部に密着しているので違和感を覚える事もなく、ユーカスの伸縮のおさえの力を活用することにより、その効果は大なるものとなります。
［発明を実施するための最良の型態］
【０１２４】  本発明の実施の型態について説明する。
図１、本体ユーカス、図２、の磁石を図３の硬質スポンヂに埋め接着したものを本体ユーカスに配置接着する、４、直経５ｍｍの枠内を１４０ｍｍ抜き取る、５を２０ｍｍとする、６、の１４０ｍｍ切りはなす、７、の８５ｍｍ切りはなす、８、両端４ヶ処にマジックテープ、９、ユーカスの渕取り、１０、ユーカスの腰バンド。
［実施例１］
【０１２５】  図１、の磁石の配置は、正座しているときも歩行時や激しい運動時にも磁石が患部に密着出来るように考案したもので、これを患部に装着すると周囲の血行を良くし筋肉のコリをほぐしてくれます。本体を生ゴムを使用することも出来ますが、生ゴムは長時間肌に密着していると生ゴムによるアレルギーを持つ方が多く居られるとの事で使用不可との決論に至りました。
【図面の簡単な説明】
【０１２６】
【図１】ユーカス本体正面図。
【図２】本発明の磁石。
【図３】硬質スポンヂ穴を５ヶ処開ける。
【図４】ユーカスの枠直経５ｍｍとして１４０ｍｍを切りはなす。
【図５】２０ｍｍとする。
【図６】１４０ｍｍを切りはなす。
【図７】８５ｍｍを切りはなす。
【図８】マジックテープを取り付ける。
【図９】ユーカスの渕取りバヤス布を使用し伸縮模様ぬいとする。
【図１０】ユーカスの腰バンド長さ１，０５０ｍｍ巾６０ｍｍ厚さ３ｍｍとする。マジックテープ巾５０ｍｍ長さ３０ｍｍを処定の位置に接着する。
【符号の説明】
【０１２７】１  本体ユーカス正面図。
２  本発明の磁石。
３  硬質スポンヂ。
４  ユーカスの枠直経５ｍｍとして１４０ｍｍを切りはなす。
５  ２０ｍｍとする。
６  １４０ｍｍを切りはなす。
７  ８５ｍｍを切りはなす。
８  マジックテープを取り付ける。
９  ユーカスの本体の渕取りバヤス布を使用し伸縮模様ぬいとする。
１０  磁石痔痛治療器具の腰バンド。
【図１】
2005111236.tif 000002
【図２】
2005111236.tif 000003
【図３】
2005111236.tif 000004
【図１０】
2005111236.tif 000005
【手続補正書】
【提出日】平成16年3月24日(2004.3.24)
【手続補正１】
【補正対象書類名】明細書
【補正対象項目名】全文
【補正方法】変更
【補正の内容】
［書類名］明細書［発明の名称］磁石痔痛治療器具［技術分野］［０００１］  本発明は、本体特殊加工ゴム、とは大変強靱で伸縮のおさえがききます。肌に優しく柔らかく温味があり長時間に渡って装着していても、肌が被ることもなく治療器具の本体としては大変貴重な製品です。市販名ユーカスと称します図１、磁石痔痛治療器具正面図。本体ユーカスをＬ型を基準として、長さ５７０ｍｍ中４０ｍｍ厚さ１．５ｍｍに抜き取り、硬質スポンヂに磁石を接着して、肌に柔らかい丈夫な布に包み接着してのち更らに底辺に布を１枚接着したものを、図１、の如く配置接着した。磁石痔痛治療器具に関するものである。［背景技術］［０００２］  平成１３年１０月２３日付にて提出致しました、特願２００１−３７６４９４には。本体生ゴムバンドとして申請致しましたが、生ゴムバンドは肌に装着することにより皮膚が被る等、生ゴムによるアレルギーを持つ方が多く居られるとの事で使用不可との決論に達しましたので、新資材ユーカスを本体として活用致す事に決定致しました。［発明の開示］［発明が解決しようとする課題］［０００３］  本発明はその欠点を除いて、本体ユーカスに磁石を接着して、痔痛の患部に当て装着することにより、周囲の血行を良くして筋肉のコリをほぐします、尚ほユーカスの伸縮のおさえの力を活用し患部を押圧することにより、大いなる効果を上げることが出来る。尚ほ図１、の磁石の配置は正座しているときも歩行時や激しい運動時にも磁石が患部に密着出来るように、考案したものである。その効果の大なるを開発しようとするものである。［課題を解決するための手段］［０００４］  いまその課題を図面に追いながら説明すれば。図１、本体ユーカス磁石痔痛治療器具Ｌ型を基準として、長さ５７０ｍｍ巾４０ｍｍ厚さ１、５ｍｍに抜き取る、図２、は磁石円柱型上部円型９ｍｍを使用する。図３、硬質スポンヂに長さ９０ｍｍ巾２０ｍｍ厚さ４ｍｍに、両端５ｍｍづつ空ける９ｍｍの穴を５ヶ処開けその間隔を１０ｍｍとする、磁石を埋め込み接着した硬質スポンヂを、肌に柔らかい丈夫な布で包み接着したのち布を更らに１枚底辺に接着したのち本体に接着する。図４、の枠内を抜き取る直経５ｍｍとして１３５ｍｍ、図５、を２０ｍｍとする、図６、の１４０ｍｍ切りはなす。図７、の８５ｍｍ切りはなす、図８、両端４ヶ処マジックテープ巾１５ｍｍ長さ２０ｍｍを接着する。図９、本体接続部。図１０、ユーカスの腰バンド長さ１、０５０ｍｍ巾６０ｍｍ厚さ２ｍｍとする。図１１、腰バンドの左右いづれかにマジックテープ長さ６０ｍｍ巾２０ｍｍを接着する。尚ほユーカスの本体並に腰バンドの渕取りバヤス布を使用し伸縮模様ぬいとする。磁石痔痛治療器具である。［発明の効果］［０００５］  本発明は以上のような構造であるから、これを使用装着することにより、磁石で痔痛の周囲の血行を良くして筋肉のコリをほぐしてくれるので、苦しみを柔らげると同時に、正座しているときも歩行時にも、磁石が患部に密着しているので違和感を覚える事もなく、ユーカスの伸縮のおさえの力を活用することにより、その効果は大なるものとなります。［発明を実施するための最良の型態］［０００６］  本発明の実施の型態について説明する。図１、本体ユーカスに、図２、の磁石を図３、の硬質スポンヂに埋め接着したものを配置接着する。図４、直経５ｍｍの枠内を１３５ｍｍ抜き取る、図５、を２０ｍｍとする、図６、の１４０ｍｍ切りはなす、図７、の８５ｍｍ切りはなす、図８、両端４ヶ処にマジックテープ、図９、本体接続部、図１０、ユーカスの腰バンド、図１１、腰バンドの左右いずれかにマジックテープ長さ６０ｍｍ巾２０ｍｍを接着する、尚ほユーカスの本体並に腰バンドの渕取りバヤス布を使用し伸縮模様ぬいとする。［実施例１］［０００７］  図１、の磁石の配置は、正座しているときも歩行時や激しい運動時には磁石が患部に密着出来るように考案したもので、これを患部に装着すると周囲の血行を良くし筋肉のコリをほぐしてくれます。本体を生ゴムバンドを使用することも出来ますが、生ゴムバンドは長時間肌に密着していると生ゴムによるアレルギーを持つ方が多く居られるとの事で使用不可との決論に至りました。［図面の簡単な説明］［０００８］［図１］ユーカス本体正面図。［図２］本発明の磁石。［図３］硬質スポンヂ。［図４］ユーカスの枠直経５ｍｍとして１３５ｍｍを切りはなす。［図５］２０ｍｍとする。［図６］１４０ｍｍ切りはなす。［図７］８５ｍｍを切りはなす。［図８］マジックテープを取り付ける。［図９］本体接続部。［図１０］ユーカスの腰バンド長さ１、０５０ｍｍ巾６０ｍｍ厚さ２ｍｍとする［図１１］腰バンド左右いづれかに、マジックテープ巾６０ｍｍ長さ２０ｍｍを接着する。尚ほ本体ユーカス並に、腰バンドの渕取り、バヤス布を使用し伸縮模様ぬいとする。［符号の説明］［０００９］１  本体ユーカス正面図。２  本発明の磁石。３  硬質スポンヂ。４  ユーカスの枠直経５ｍｍとして１３５ｍｍ切りはなす。５  ２０ｍｍとする。６  １４０ｍｍを切りはなす。７  ８５ｍｍを切りはなす。８  マジックテープを取り付ける。９  本体接続部。１０  磁石痔痛治療器具の腰バンド。１１  腰バンド左右いづれかにマジックテープを取り付ける。尚ほ本体ユーカス並に、腰バンドの渕取り、バヤス布を使用し伸縮模様ぬいとする。【手続補正２】
【補正対象書類名】図面
【補正対象項目名】全図
【補正方法】変更
【補正の内容】
【書類名】図面    【図1】2005111236.tif 000006
【図2】2005111236.tif 000007
【図3】2005111236.tif 000008
【図4】2005111236.tif 000009
【図5】2005111236.tif 000010
【図6】2005111236.tif 000011
【図7】2005111236.tif 000012
【図8】2005111236.tif 000013
【図9】2005111236.tif 000014
【図10】2005111236.tif 000015
【図11】2005111236.tif 000016
【手続補正書】
【提出日】平成16年5月28日(2004.5.28)
【手続補正１】
【補正対象書類名】特許請求の範囲
【補正対象項目名】全文
【補正方法】変更
【補正の内容】
【特許請求の範囲】
【請求項１】
磁石痔痛治療器具。平成１３年１０月２３日付にて提出致しました。出願番号、特願２００１−３７６４９４、出願人５００２１５６３２。磁石痔痛治療器具の本体に生ゴムバンドを使用致しまして申請致しましたが、生ゴムバンドは肌に直に装着することにより皮膚が被る等、生ゴムによるアレルギーを持つ方が多く居られるとの事で使用不可との決論に達しましたので。資材を変えまして再度特許願いを提出致す事に相成りましたので。前文全項目削除して下さる様にお願い申し上げる次第にご座います。
本体に使用致します新資材と申しますは、特殊加工ゴム市販名ユーカスと称します。この品は大変強靭で伸縮のおさえがききます、肌にも優しく柔らかく温かく長期間に渡って装着していても、肌が被ると言うこともなく治療器具の本体として使用するには大変貴重な製品にご座います。
図１、本体ユーカスをＬ型を基準として、長さ５７０ｍｍ巾４０ｍｍ厚さ１．５ｍｍに抜き取る、図２、磁石円柱型上部円型直経９ｍｍを使用する、図３、硬質スポンヂに長さ９０ｍｍ巾２０ｍｍ厚さ４ｍｍに、両端５ｍｍづつ空ける、直経９ｍｍの穴を５ヶ処開けて、その間隔を１０ｍｍとするに図２、の磁石を埋め込み接着した硬質スポンヂを、肌に優しい柔らかい丈夫な布で包み接着したのち布を１枚底辺に接着したのち本体に配置接着する。図４、の枠内を切りはなす直経５ｍｍとして１４０ｍｍ、図５、を２０ｍｍとする、図６、の１４０ｍｍ切はなす、図７、の８５ｍｍ切りはなす、図８、両端４ヶ処マジックテープ巾１５ｍｍ長さ２０ｍｍを接着する、図９、本体接続部、図１０、ユーカスの腰バンド長さ１、０５０ｍｍ巾６０ｍｍ厚さ３ｍｍとする、図１１、腰バンド左右いづれかにマジックテープ長さ６０ｍｍ巾２０ｍｍを接着する、図１２、ユーカスの本体並に腰バンドの渕取りバヤス布を使用し伸縮模様ぬいとする。
磁石痔痛治療器具。
【手続補正２】
【補正対象書類名】図面
【補正対象項目名】全図
【補正方法】変更
【補正の内容】
【図１】
2005111236.tif 000017
【図２】
2005111236.tif 000018
【図３】
2005111236.tif 000019
【図４】
2005111236.tif 000020
【図５】
2005111236.tif 000021
【図６】
2005111236.tif 000022
【図７】
2005111236.tif 000023
【図８】
2005111236.tif 000024
【図９】
2005111236.tif 000025
【図１０】
2005111236.tif 000026
【図１１】
2005111236.tif 000027
【図１２】
2005111236.tif 000028
【手続補正３】
【補正対象書類名】明細書
【補正対象項目名】全文
【補正方法】変更
【補正の内容】
【発明の詳細な説明】
【技術分野】
【０００１】  本発明は、本体特殊加工ゴム、とは大変強靭で伸縮のおさえがききます、肌に優しく柔らかく温味があり長時間に渡って装着していても、肌が被ることもなく治療器具の本体としては大変貴重な製品です。市販名ユーカスと称します図１、磁石痔痛治療器具正面図。本体ユーカスをＬ型を基準として、長さ５７０ｍｍ巾４０ｍｍ厚さ１、５ｍｍに抜き取り、硬質スポンヂに磁石を接着して、肌に柔らかい丈夫な布に包み装着してのち更らに底辺に布を１枚接着したものを、図１、の如く配置接着した。磁石痔痛治療器具に関するものである。
［背景技術］【０００２】  平成１３年１０月２３日付にて提出致しました。特願２００１−３７６４９４には。本体生ゴムバンドとして申請致しましたが、生ゴムバンドは肌に装着することにより皮膚が被る等、生ゴムによるアレルギーを持つ方が多く居られるとの事で使用不可との結論に達しましたので、新資材ユーカスを本体として活用致す事に決定致しました。
［発明の開示］
［発明が解決しようとする課題］【０００３】  本発明はその欠点を除いて、本体ユーカスに磁石を接着して、痔痛の患部に当て装着することにより、周囲の血行を良くして筋肉のコリをほぐします、尚ほユーカスの伸縮のおさえの力を活用し患部を押圧することにより、大いなる効果を上げることが出来る。尚ほ図１、の磁石の配置は正座しているときも歩行時や激しい運動時にも磁石が患部に密着出来るように、考案したものである。その効果の大なるを開発しようとするものである。
［課題を解決するための手段］【０００４】  いまその課題を図面に追いながら説明すれば。
図１、本体ユーカス磁石痔痛治療器具Ｌ型を基準として、長さ５７０ｍｍ巾４０ｍｍ厚さ１、５ｍｍに抜き取る、図２、は磁石円柱型上部円型９ｍｍを使用する。図３、硬質スポンヂに長さ９０ｍｍ巾２０ｍｍ厚さ４ｍｍに、両端５ｍｍづつ空けて９ｍｍの穴を５ヶ処開けその間隔を１０ｍｍとする、図２、の磁石を埋め込み接着した硬質スポンヂを、肌に優しい柔らかい丈夫な布で包み接着したのち布を更らに１枚底辺に接着したのち本体に接着する。図４、の枠内を抜き取る直経５ｍｍとして１３５ｍｍ切りはなす、図５、を２０ｍｍとする、図６、１４０ｍｍ切りはなす。図７、８５ｍｍ切りはなす、図８、両端４ヶ処マジックテープ巾１５ｍｍ長さ２０ｍｍを接着する。図９、本体接続部、図１０、ユーカスの腰バンド長さ１、０５０ｍｍ巾６０ｍｍ厚さ３ｍｍとする、図１１、腰バンドの左右いづれかにマジックテープ長さ６０ｍｍ巾２０ｍｍを接着する、図１２、ユーカスの本体並に腰バンドの渕取りバヤス布を使用し伸縮模様ぬいとする。
磁石痔痛治療器具である。
［発明の効果］【０００５】  本発明は以上のような構造であるから、これを使用装着することにより、磁石で痔痛の周囲の血行を良くして筋肉のコリをほぐしてくれるので、苦しみを柔らげると同時に、正座しているときも歩行時にも磁石が患部に密着しているので違和感を覚える事もなく、ユーカスの伸縮のおさえの力を活用することにより、その効果は大なるものとなります。
［発明を実施するための最良の型態］【０００６】  本発明の実施の型態について説明する。
図１、本体ユーカスに、図２、の磁石を、図３、の硬質スポンヂに埋め接着したものを図１、の如く配置接着する。図４、直経５ｍｍの枠内を１３５ｍｍ切りはなす、図５を２０ｍｍとする、図６、１４０ｍｍ切りはなす、図７、の８５ｍｍ切りはなす、図８、両端４ヶ処にマジックテープ、図９、本体接続部、図１０、ユーカスの腰バンド、図１１、腰バンドの左右いづれかにマジックテープ長さ６０ｍｍ巾２０ｍｍを接着する、図１２、ユーカスの本体並に腰バンドの渕取りバヤス布を使用し伸縮模様ぬいとする。
［実施例１］【０００７】  図１、の磁石の配置は、正座しているときも歩行時や激しい運動時にも磁石が患部に密着出来るように考案したもので、これを患部に装着すると周囲の血行を良くし筋肉のコリをほぐしてくれます。本体を生ゴムバンドを使用することも出来ますが、生ゴムバンドは長時間肌に密着していると生ゴムによるアレルギーを持つ方が多く居られるとの事で使用不可との決論に至りました。
【図面の簡単な説明】
【０００８】［図１］  ユーカス本体正面図。
［図２］  本発明の磁石。
［図３］  硬質スポンヂ。
［図４］  ユーカスの枠直経５ｍｍとして１３５ｍｍ切りはなす。
［図５］  ２０ｍｍとする。
［図６］  １４０ｍｍ切りはなす。
［図７］  ８５ｍｍを切りはなす。
［図８］  マジックテープを取り付ける。
［図９］  本体接続部。
［図１０］  ユーカスの腰バンド長さ１、０５０ｍｍ巾６０ｍｍ厚さ３ｍｍとする。
［図１１］  腰バンド左右いづれかに、マジックテープ巾６０ｍｍ長さ２０ｍｍを接着する。
［図１２］  本体ユーカス並に、腰バンドの渕取り、バヤス布を使用し伸縮模様ぬいとする。
【符号の説明】
【０００９】１    本体ユーカス正面図。
２    本発明の磁石。
３    硬質スポンヂ。
４    ユーカスの枠直経５ｍｍとして１３５ｍｍ切りはなす。
５    ２０ｍｍとする。
６    １４０ｍｍを切りはなす。
７    ８５ｍｍを切りはなす。
８    マジックテープを取り付ける。
９    本体接続部。
１０  磁石痔痛治療器具の腰バンド。
１１  腰バンド左右いづれかにマジックテープを取付ける。
１２  本体ユーカス並に、腰バンドの渕取り、バヤス布を使用し伸縮模様ぬいとする。